(57)【特許請求の範囲】
【請求項１】
ポール本体と地面に設けられたポール設置部材との間に介設されて該ポール本体を可倒に支持する可倒ポール用支持部材であって、
部材上部に上記ポール本体に取付固定されるポール側取付部、及び部材下部に上記ポール設置部材に取付固定される地面側取付部がそれぞれ設けられており、
バネ軸方向が略鉛直方向を向くようにコイルバネが埋設され、該コイルバネと軸を略共通にする上下共に開口した筒状に形成されたゴム材により部材本体が構成されていることを特徴とする可倒ポール用支持部材。
【請求項２】
請求項１において、
上記コイルバネは、酸化可能な金属で形成されていることを特徴とする可倒ポール用支持部材。
【請求項３】
請求項１又は２において、
上記ポール側取付部は、上記ポール本体下端に設けられたポール側取付孔に嵌入可能に形成された上記部材本体上部により構成されており、
上記部材本体上部には、該部材本体上部が上記ポール本体のポール側取付孔に嵌め入れられた際に部材内向きに圧縮されて該ポール側取付孔の内壁に圧接する突出部が設けられていることを特徴とする可倒ポール用支持部材。
【請求項４】
請求項１乃至３のいずれか一において、
上記地面側取付部は、上記ポール設置部材に設けられた地面側取付孔に嵌入可能に形成された上記部材本体下部により構成されており、
上記部材本体下部には、該部材本体下部が上記ポール設置部材の地面側取付孔に嵌め入れられた際に部材内向きに圧縮されて該地面側取付孔の内壁に圧接する突出部が設けられていることを特徴とする可倒ポール用支持部材。
【請求項５】
ポール本体と、地面に設けられたポール設置部材との間に、請求項１乃至４のいずれか一に記載の可倒ポール用支持部材が介設されてなることを特徴とする可倒ポール設置構造。
【発明の詳細な説明】
【０００１】
【発明の属する技術分野】
本発明は、可倒ポール用支持部材及びその可倒ポール用支持部材を使用した可倒ポール設置構造に関する。
【０００２】
【従来の技術】
自動車が駐車場に無断で進入したり、歩道に乗り上げるのを防止するために、ポール状の車止めが広く使用されている。そして、かかるポール状の車止めとして、コイルバネを介してポール本体を地面側のポール設置部材に立設した可倒ポールというものがある。この可倒ポールは、自動車等が衝突した際にコイルバネの作用によりポール本体が倒れ、それによって自動車等に及ぼす衝撃を和らげようとするものである。
【０００３】
特開昭５６−５９２２１号公報には、上下に嵌着した筒状の上体と下体とを、この上体と下体内に固着した天板と底板に張着したコイルバネをもって常に嵌着方向に付勢させると共に、天板上の上体空洞部にポールを樹立するようにしたポールの復帰装置が開示されている。
【０００４】
また、実開平４−２３９３２号公報には、管状の第１及び第２ポールと、これらのポールが全体として一本のポールとなり且つ両ポール間に所定の隙間が生じるように両ポールを弾性連結するコイルバネと、両ポール間の隙間を被覆すると共に上記コイルバネの外周囲を取り囲む伸縮部材とを備え、コイルバネは、その外径が第１及び第２ポールよりも小さく、且つ一端が第１ポール内に及び他端が第２ポール内にそれぞれ挿入されているポール型車止めが開示されており、かかる構成によれば、伸縮部材が第１及び第２ポール間の間隙を被覆してコイルバネの外周面を取り囲んでいるため、ポールを折り曲げたときにその隙間に指等が挟まれることが無く、また、その間隙への雨水や塵埃等の進入を防止できて高耐久となる、との内容が記載されている。
【０００５】
【発明が解決しようとする課題】
しかしながら、特開昭５６−５９２２１号公報及び実開平４−２３９３２号公報のいずれに開示された可倒ポールであっても、コイルバネ単独でポール本体を地面側のポール設置部材に支持するものであるため、コイルバネのポール本体又はポール設置部材への取付固定状態如何によっては、ポール本体が地面に対して垂直に立設されないことがある。また、後者の可倒ポールの場合、伸縮部材が外れてしまう虞があり、そうするとポール本体とポール設置部材との間の隙間が結局露出してしまうこととなる。
【０００６】
本発明は、かかる点に鑑みてなされたものであり、その目的とするところは、ポール本体を略鉛直に支持することができると共に、従来のように伸縮部材が外れるといった不都合を生じない可倒ポール用支持部材を提供することにある。
【０００７】
【課題を解決するための手段】
本発明は、可倒ポール用支持部材の部材本体をコイルバネを埋設したゴム材で構成するようにしたものである。
【０００８】
具体的には、本発明は、ポール本体と地面に設けられたポール設置部材との間に介設されてポール本体を可倒に支持する可倒ポール用支持部材を前提とする。そして、部材上部にポール本体に取付固定されるポール側取付部、及び部材下部にポール設置部材に取付固定される地面側取付部がそれぞれ設けられており、バネ軸方向が略鉛直方向を向くようにコイルバネが埋設され、そのコイルバネと軸を略共通にする上下共に開口した筒状に形成されたゴム材により部材本体が構成されていることを特徴とする。
【０００９】
上記の構成によれば、コイルバネが埋設されたゴム材によって部材本体が構成されており、そのためコイルバネの自由度が低くなり、静止状態での可倒ポール用支持部材の形状が安定するので、ポール本体を地面に対して略垂直に起立させて支持することができる。
【００１０】
また、コイルバネとゴム材とが一体化されており、ポール本体とポール設置部材との間の隙間が完全に埋められることとなるので、従来のように伸縮部材が外れるといった不都合が生じず、その隙間に指等が挟まれる危険性を完全に無くすことができる。
【００１１】
さらに、部材本体がコイルバネと軸を略共通にする筒状に形成されているので、ポール本体に自動車等が衝突した際に、可倒ポール用支持部材の部材本体が中空であるためにポール本体が容易に倒れることとなり、自動車等に及ぼされる衝撃が和らげられることとなる。
【００１２】
ここで、コイルバネは、特にその材質が限定されるものではないが、通常は鉄製のものが一般的に用いられる。鉄のように酸化可能な金属で形成されたコイルバネは、それが露出した状態で使用されると空気中の酸素によって酸化されて劣化することとなるが、本発明ではコイルバネがゴム材に埋設されているので、空気中の酸素との接触が断たれ、コイルバネの酸化劣化が抑止されることとなる。
【００１３】
ゴム材を構成する原料ゴムは、特に限定されるものではなく、天然ゴムや合成ゴムを使用することができるが、耐候性を考慮すればエチレン・プロピレンゴム（以下「ＥＰＲ」という）やエチレン・プロピレン・ジエンゴム（以下「ＥＰＤＭ」という）が好適である。
【００１４】
さらに、ポール側取付部がポール本体下端に設けられたポール側取付孔に嵌入可能に形成された部材本体上部により構成されており、その部材本体上部に、部材本体上部がポール本体のポール側取付孔に嵌め入れられた際に部材内向きに圧縮されてそのポール側取付孔の内壁に圧接する突出部が設けられている構成であってもよい。かかる構成によれば、突出部がポール本体のポール側取付孔の内壁に圧接することにより、がたつきを生じることなく可倒ポール用支持部材がポール本体に取付固定されることとなる。この突出部の形態としては、例えば突条、突起等を挙げることができる。
【００１５】
また、地面側取付部がポール設置部材に設けられた地面側取付孔に嵌入可能に形成された上記部材本体下部により構成されており、その部材本体下部に、部材本体下部がポール設置部材の地面側取付孔に嵌め入れられた際に部材内向きに圧縮されて地面側取付孔の内壁に圧接する突出部が設けられている構成であってもよい。かかる構成によれば、突出部がポール設置部材の地面側取付孔の内壁に圧接することにより、がたつきを生じることなく可倒ポール用支持部材がポール設置部材に取付固定されることとなる。この突出部の形態としては、例えば突条、突起等を挙げることができる。
【００１６】
そして、上記のような本発明の可倒ポール用支持部材が、ポール本体と、地面に設けられたポール設置部材との間に介設されることにより、本発明の可倒ポール設置構造が構成されることとなる。
【００１７】
【発明の効果】
以上説明したように、本発明の可倒ポール用支持部材によれば、静止状態でのその形状が安定するので、ポール本体を地面に対して略垂直に起立させて支持することができる。
【００１８】
また、コイルバネとゴム材とが一体化されているので、従来のように伸縮部材が外れるといった不都合が生じず、その隙間に指等が挟まれる危険性を完全に無くすことができる。
【００１９】
さらに、部材本体がコイルバネと軸を略共通にする筒状に形成されているので、ポール本体に自動車等が衝突した際に、可倒ポール用支持部材の部材本体が中空であるためにポール本体が容易に倒れることとなり、自動車等に及ぼされる衝撃が和らげられることとなる。
【００２０】
【発明の実施の形態】
以下、本発明の実施形態を図面に基づいて詳細に説明する。
【００２１】
（可倒ポール用支持部材の構成）
図１及び２は、本発明の実施形態に係る可倒ポール用支持部材１０を示す。
【００２２】
この可倒ポール用支持部材１０は、上側金具１１と、上側金具１１とほぼ同形状の下側金具１２と、一端が上側金具１１に及び他端が下側金具１２にそれぞれ同軸で結合されたコイルバネ１３と、そのコイルバネ１３が埋設されたゴム材１４とからなる。このコイルバネ１３が埋設されたゴム材１４が部材本体を構成している。
【００２３】
上側金具１１は、上方に開口し、円形の上側金具底部１１ａと、その上側金具底部１１ａの周縁から立ち上がるように設けられた上側金具壁部１１ｂとからなる。上側金具底部１１ａの中央部には、小径の上側水抜き孔１１ｃが設けられている。この上側金具１１の外径は、ポール本体下端に設けられたポール側取付孔の内径と略同径に形成されている。
【００２４】
下側金具１２は、下方に開口し、円形の下側金具天部１２ａと、その下側金具天部１２ａの周縁から垂れ下がるように設けられた下側金具壁部１２ｂとからなる。下側金具天部１２ａの中央部には、上側水抜き孔１１ｃより大径の下側水抜き孔１２ｃが設けられている。この下側金具１２の外径は、ポール設置部材に設けられた地面側取付孔の内径と略同径に形成されている。
【００２５】
コイルバネ１３は、鉄製であり、上下両端面がバネ軸に対して垂直な面に形成されており、その上端面が上側金具底部１１ａの下端に及び下端面が下側金具天部１２ａの上面にそれぞれ溶接されて一体となっている。
【００２６】
ゴム材１４は、ＥＰＤＭにより略円筒状に形成されており、内径は下側水抜き孔に略等しい。ゴム材上部１４ａの外径は、ポール本体下端のポール側取付孔に嵌め入れる際にゴムの摩擦抵抗が大きく作用しないように上側金具１１の外径よりも小さく形成されている。その一方、ゴム材上部１４ａには、上下方向に延びる突条１５，１５，…が周方向に間隔をおいて複数設けられている。これらの突条１５，１５，…は、ポール本体下端のポール側取付孔に嵌め入れられた際に部材内向きに圧縮されてポール側取付孔の内壁に圧接するように、その頂部を連結して形成される外径が上側金具１１の外径よりも大きくなるように形成されている。同様に、ゴム材下部１４ｂの外径は、ポール設置部材の地面側取付孔に嵌め入れる際にゴムの摩擦抵抗が大きく作用しないように下側金具１２の外径よりも小さく形成されている。その一方、ゴム材下部１４ｂには、上下方向に延びる突条１５，１５，…が周方向に間隔をおいて複数設けられている。これらの突条１５，１５，…は、ポール設置部材の地面側取付孔に嵌め入れられた際に部材内向きに圧縮されて地面側取付孔の内壁に圧接するように、その頂部を連結して形成される外径が下側金具１２の外径よりも大きくなるように形成されている。ゴム材上部及び下部１４ａ，１４ｂに挟まれたゴム材中部１４ｃの外径は、ゴム材上部１４ａがポール側取付孔に及びゴム材下部１４ｂが地面側取付孔にそれぞれ嵌め入れられた際にポール側取付孔及び地面側取付孔の各開口端が当接するように、上側及び下側金具１１，１２の外径よりも大きく形成されている。
【００２７】
（可倒ポール用支持部材の製造方法）
まず、上側金具底部１１ａの下面及び下側金具天部１２ａの上面にコイルバネ１３の上端面及び下端面をそれぞれ対応させて溶接し一体化させる。
【００２８】
次に、この一体化した上側及び下側金具１１，１２及びコイルバネ１３をゴム材成形用金型にセットする。このとき、金型内のピンを下側金具１２の下側水抜き孔１２ｃに挿通し、成形されるゴム材１４が円筒状となるようにする。また、上側及び下側金具１１，１２には、ポール本体下端のポール側取付孔及びポール設置部材の地面側取付孔への嵌め入れの際に上側及び下側金具１１，１２に付着したゴムバリが噛み込むことがないように、ゴム材１４との臨界部分となる部分をシールする。
【００２９】
次いで、未加硫ゴムを金型内に注入して所定温度で所定時間その状態を保持する。このとき、未加硫ゴムが金型内のキャビティに充填されて加硫される。なお、この未加硫ゴムの注入成形は、トランスファー成形であっても射出成形であってもよい。
【００３０】
そして、成形型を開き、成形された可倒ポール用支持部材１０を取り出す。
【００３１】
（可倒ポール設置構造）
図３及び４は、本発明の実施形態に係る可倒ポール設置構造を示す。
【００３２】
この可倒ポール設置構造は、ポール本体２０と、地面側に設けられたポール設置部材材３０と、ポール本体２０及びポール設置部材３０の間に介設された可倒ポール用支持部材１０とからなる。
【００３３】
ポール本体２０は、下端が開口した中空の棒状であり、その開口部が可倒ポール用支持部材１０を嵌め入れるためのポール側取付孔２１を構成している。ポール本体２０の下端近傍の側面には、可倒ポール用支持部材１０の上側金具１１に溶接するための溶接孔２２，２２が間隔をあけて複数設けられている。ポール本体２０の上端には、多数の可倒ポールをチェーンで連結するためのリング２３が設けられている。
【００３４】
ポール設置部材３０は、地面に打ち込まれた筒状の埋設部３１と、地面位置の板状のフランジ部３２と、地表に露出して上方に開口した設置部３３とが同軸で結合した形状となっており、設置部３３の凹部が可倒ポール用支持部材１０を嵌め入れるための地面側取付孔３３ａを構成している。
【００３５】
この可倒ポール設置構造を形成する際は、可倒ポール用支持部材１０の上側金具１１及びゴム材上部１４ａをポール本体２０下端がゴム材中部１４ｃに当接するまでポール本体２０のポール側取付孔２１に嵌め入れ、溶接孔２２，２２で溶接してポール本体２０を上側金具１１に取付固定する。すなわち、上側金具１１及びゴム材上部１４ａがポール側取付部を構成する。上側金具１１及びゴム材上部１４ａをポール側取付孔２１に嵌め入れる際には、ゴム材上部１４ａの突条１５，１５，…が部材内向きに圧縮されてポール側取付孔２１の内壁に圧接する。
【００３６】
また、可倒ポール用支持部材１０の下側金具１２及びゴム材下部１４ｂをポール設置部材３０の地面側取付孔３３ａにその開口端がゴム材中部１４ｃに当接するまで嵌め入れて取付固定する。すなわち、下側金具１２及びゴム材下部１４ｂが地面側取付部を構成する。下側金具１２及びゴム材下部１４ｂを地面側取付孔３３ａに嵌め入れる際には、ゴム材下部１４ｂの突条１５，１５，…が部材内向きに圧縮されてポール側取付孔２１の内壁に圧接する。
【００３７】
（作用・効果）
上記構成の可倒ポール用支持部材１０によれば、コイルバネ１３が埋設されたゴム材１４によって部材本体が構成されており、そのためコイルバネ１３の自由度が低くなり、静止状態での可倒ポール用支持部材１０の形状が安定するので、ポール本体２０を地面に対して略垂直に起立させて支持することができる。
【００３８】
また、コイルバネ１３とゴム材１４とが一体化されており、ポール本体２０とポール設置部材３０との間の隙間が完全に埋められることとなるので、従来のように伸縮部材が外れるといった不都合が生じず、その隙間に指等が挟まれる危険性を完全に無くすことができる。
【００３９】
さらに、コイルバネ１３がゴム材１４に埋設されているので、その空気中の酸素との接触が断たれ、コイルバネ１３の酸化劣化を抑止することができる。
【００４０】
また、ゴム材１４で構成された部材本体は、コイルバネ１３と軸を略共通にする筒状に形成されているので、ポール本体２０に自動車等が衝突した際に、可倒ポール用支持部材１０の部材本体が中空であるためにポール本体２０が容易に倒れることとなり、自動車等に及ぼされる衝撃を和らげることができる。
【００４１】
さらに、ゴム材上部１４ａに突条１５，１５，…が設けられており、それらの突条１５，１５，…がポール本体２０のポール側取付孔２１の内壁に圧接することにより、がたつきを生じることなく可倒ポール用支持部材１０をポール本体２０に取付固定することができる。同様に、ゴム材下部１４ｂに突条１５，１５，…が設けられており、それらの突条１５，１５，…がポール設置部材３０の地面側取付孔３３ａの内壁に圧接することにより、がたつきを生じることなく可倒ポール用支持部材１０をポール設置部材３０に取付固定することができる。
【００４２】
（その他の実施形態）
上記実施形態では、ゴム材上部及び下部１４ａ、１４ｂに、上下方向に延びる突条１５，１５，…を周方向に間隔をおいて複数設けたが、特にこれに限定されるものではなく、図５（ａ）に示すように、周方向に延びる突条１５，１５を設けるようにしても、また、図５（ｂ）に示すように、螺旋状に延びる突条１５を設けるようにしてもよい。
【００４３】
また、上記の実施形態では、ゴム材上部及び下部１４ａ，１４ｂに突条１５，１５，…を設けたが、特にこれに限定されるものではなく、点条とうの突起を設けるようにしてもよい。
【００４４】
また、上記実施形態では、上側及び下側金具１１，１２を設けたが、特にこれに限定されるものではなく、コイルバネを埋設したゴム材のみで部材全体を構成するようにしてもよい。
【００４５】
また、上記実施形態では、鉄製のコイルバネ１３を用いたが、特にこれに限定されるものではなく、その他の素材のコイルバネであってもよい。
【００４６】
また、上記実施形態では、ゴム材１４をＥＰＤＭで形成したが、特にこれに限定されるものではなく、天然ゴムやＥＰＭ等の合成ゴムであってもよい。
【図面の簡単な説明】
【図１】  本発明の実施形態に係る可倒ポール用支持部材の側面図である。
【図２】  本発明の実施形態に係る可倒ポール用支持部材の（ａ）側断面図及び（ｂ）上面図である。
【図３】  本発明の実施形態に係る可倒ポール設置構造を示す側面図である。
【図４】  本発明の実施形態に係る可倒ポール設置構造の要部の側断面である。
【図５】  本発明のその他の実施形態に係る可倒ポール用支持部材の側面図である。
【符号の説明】
１０  可倒ポール用支持部材
１１  上側金具
１１ａ  上側金具底部
１１ｂ  上側金具壁部
１１ｃ  上側水抜き孔
１２  下側金具
１２ａ  下側金具天部
１２ｂ  下側金具壁部
１２ｃ  下側水抜き孔
１３  コイルバネ
１４  ゴム材
１４ａ  ゴム材上部
１４ｂ  ゴム材下部
１４ｃ  ゴム材中部
１５  突条
２０  ポール本体
２１  ポール側取付孔
２２  溶接孔
２３  リング
３０  ポール設置部材
３１  埋設部
３２  フランジ部
３３  設置部
３３ａ  地面側取付孔
【図１】
0003824496.tif 000002
【図２】
0003824496.tif 000003
【図３】
0003824496.tif 000004
【図４】
0003824496.tif 000005
【図５】
0003824496.tif 000006